(57)【要約】【課題】コネクタのハウジングが筺体に取付けられたことを、クリック感という触覚のみならず、視覚によっても確認し、二重の保障を図ることができるコネクタの抱え込み式取付構造を提供する。【解決手段】コネクタ１をシャーシ１１の表面に平行にスライドさせる。すると、コネクタにおけるピン側コネクタ２の突起３Ｂ１とソケット側コネクタ６の突起７Ｂ１は、一対のロッキング部材１１Ａのガイド部１１Ａ１を押し上げて弾性変形させる。更に、コネクタをスライドさせると、両突起は、各ガイド部を乗り越えて各突起受け凹部１１Ａ２に係合する。このとき、操作者は、クリック感を触覚できると共に、コネクタが各ロッキング部材にロックされている状態を視覚によっても認識できる。コネクタは、段差部３Ｃ，７Ｃが一対のロッキング部材に挟持されることによって、スライド方向と直交する方向の位置決めを行われる。【選択図】　　　図１
2004079361.tif 000002
【特許請求の範囲】
【請求項１】
コネクタのハウジングには、複数の突起と複数の段差とが設けられ、
筺体には、略Ｌ字形状の複数のロッキング部材が設けられ、前記各ロッキング部材には、前記各突起用のガイド部と突起受け凹部とが形成され、
前記ハウジングを前記筐体にスライドさせて取付ける際、前記各突起が前記各ガイド部を乗り越えて前記各突起受け凹部に係合し、かつ、前記各ロッキング部材と前記ハウジングの段差との当接によって前記ハウジングのスライド方向と直交する方向の位置決めが行われ、
前記各突起が前記各突起受け凹部に係合する状態を視覚によって認識することができることを特徴とするコネクタの抱え込み式取付構造。
【請求項２】
コネクタのハウジングには、少なくとも４つの突起と複数の段差とが設けられ、
筺体には、一対のロッキング部材が複数組設けられ、前記各ロッキング部材には、前記各突起用のガイド兼ロック部が形成され、
前記ハウジングを前記筺体に接近させて取付ける際、前記各突起が前記各ガイド兼ロック部を乗り越えて前記各ガイド兼ロック部に係合し、かつ、前記各ロッキング部材と前記ハウジングの段差との当接によって前記ハウジングの接近方向と直交する方向の位置決めが行われ、
前記各突起が前記各ガイド兼ロック部に係合する状態を視覚によって認識することができることを特徴とするコネクタの抱え込み式取付構造。
【発明の詳細な説明】
【０００１】
【発明の属する技術分野】
本発明は、ケーブルと他のケーブルとの中継等用のコネクタに関し、特にシャーシ等の筺体への取付完了の確認を容易に行うことができるコネクタの抱え込み式取付構造に関する。
【０００２】
【従来の技術】
従来のコネクタのスライド式取付構造について図５を参照して説明する。
【０００３】
ピン側コネクタ２１のインシュレータ（ハウジング）２２は、図５（ａ）に示されるように、直方体形状に構成される。インシュレータ２２の一外面には、中央に被ロック突起２２Ａと、被ロック突起２２Ａの両側に断面Ｌ字形状の突出部２２Ｂとが一体に形成される。なお、インシュレータ２２に保持されるコンタクトは、図示を省略されている。
【０００４】
シャーシ３１には、図５（ｂ）に示されるように、断面Ｔ字形状の突出部３２が設けられ、突出部３２の中央には、孔３２Ａが形成されている。
【０００５】
コネクタ２１をシャーシ３１に取付ける操作は、次のように行われる。まず、図５（ａ）に示されるピン側コネクタ２１のインシュレータ２２を、矢印▲１▼に示されるように、１８０°表裏反転する。次に、インシュレータ２２を矢印▲２▼方向へシャーシ３１の表面に平行にスライドさせる。更に、インシュレータ２２の一対の突出部２２Ｂが、図５（ｃ）に示されるように、シャーシ３１の突出部３２にはまるようにスライドを進める。更に、スライドを進めると、図５（ｄ）に示されるように、インシュレータ２２の突起２２Ａは、突出部３２の孔３２Ａに入り込む。このとき、コネクタ２１をシャーシ３１に取付ける操作は、完了する。操作者は、操作の完了を、突起２２Ａが孔３２Ａに入り込んだときに発生するクリック感によって触覚することができる。
【０００６】
なお、この種のコネクタは、特開平６−２２３９２１号公報に記載されている。
【０００７】
【発明が解決しようとする課題】
前記従来のコネクタのスライド式取付構造においては、作業者は、ピン側コネクタ２１のシャーシ３１への取付完了を、クリック感のみによって認識している。したがって、コネクタ２１のシャーシ３１への取付が完了していないにもかかわらず、作業者は、完了したものと勘違いするという欠点が生じる。
【０００８】
そこで、本発明は、前記従来の技術の欠点を改良し、コネクタのインシュレータ等のハウジングがシャーシ等の筺体に取付けられたことを、クリック感という触覚のみならず、視覚によっても確認し、二重の保障を図ることができるコネクタの抱え込み式取付構造を提供しようとするものである。
【０００９】
【課題を解決するための手段】
本発明は、前記課題を解決するため、次の手段を採用する。
【００１０】
１．コネクタのハウジングには、複数の突起と複数の段差とが設けられ、筺体には、略Ｌ字形状の複数のロッキング部材が設けられ、前記各ロッキング部材には、前記各突起用のガイド部と突起受け凹部とが形成され、前記ハウジングを前記筐体にスライドさせて取付ける際、前記各突起が前記前記各ガイド部を乗り越えて前記各突起受け凹部に係合し、かつ、前記各ロッキング部材と前記ハウジングの段差との当接によって前記ハウジングのスライド方向と直交する方向の位置決めが行われ、前記各突起が前記各突起受け凹部に係合する状態を視覚によって認識することができるコネクタの抱え込み式取付構造。
【００１１】
２．コネクタのハウジングには、少なくとも４つの突起と複数の段差とが設けられ、筺体には、一対のロッキング部材が複数組設けられ、前記各ロッキング部材には、前記各突起用のガイド兼ロック部が形成され、前記ハウジングを前記筺体に接近させて取付ける際、前記各突起が前記各ガイド兼ロック部を乗り越えて前記各ガイド兼ロック部に係合し、かつ、前記各ロッキング部材と前記ハウジングの段差との当接によって前記ハウジングの接近方向と直交する方向の位置決めが行われ、前記各突起が前記各ガイド兼ロック部に係合する状態を視覚によって認識することができるコネクタの抱え込み式取付構造。
【００１２】
【発明の実施の形態】
本発明の２つの実施の形態例のコネクタの抱え込み式取付構造について説明する。
【００１３】
まず、本発明の第１実施の形態例について図１と図２を参照して説明する。
【００１４】
コネクタ１は、ピン側コネクタ２とソケット側コネクタ６とから構成される。図１（ａ）は、ピン側コネクタ２とソケット側コネクタ６とが嵌合した状態の斜視図、図１（ｂ）は、コネクタ１が取付けられるシャーシ１１の斜視図を、それぞれ示す。
【００１５】
ピン側コネクタ２のインシュレータ（ハウジング）３は、二段の略直方体形状に構成される。インシュレータ３の内部には、複数本のコンタクト（図示せず）が保持され、インシュレータ３の大直方体部３Ａの前面側には、ソケット側コネクタ６が嵌合する嵌合口３Ａ１が形成され、インシュレータ３の小直方体部３Ｂの後面側では、複数本のケーブル４がそれぞれコンタクトと接続されている。小直方体部３Ｂの上面には、半円柱形状の突起３Ｂ１が形成されている。
【００１６】
ソケット側コネクタ６のインシュレータ（ハウジング）７は、段差を有する略直方体形状に構成される。インシュレータ７の内部には、複数本のコンタクト（図示せず）が保持され、インシュレータ７の大直方体部７Ａの前面側は、インシュレータ３の嵌合口３Ａ１内に嵌合し、インシュレータ７の小直方体部７Ｂの後面側では、複数本のケーブル８がそれぞれコンタクトと接続されている。小直方体部７Ｂの上面には、半円柱形状の突起７Ｂ１が形成されている。
【００１７】
シャーシ１１は、１枚の金属板からプレス加工によって製作される。シャーシ１１には、断面略Ｌ字形状の一対のロッキング部材１１Ａが、切り起し加工によって形成される。各ロッキング部材１１Ａの先端には、傾斜したガイド部１１Ａ１と突起受け凹部１１Ａ２とが形成される。
【００１８】
コネクタ１とシャーシ１１との寸法関係の設定を説明する。一対のロッキング部材１１Ａの内側間隔Ｌ２は、コネクタ１におけるピン側コネクタ２の段差部３Ｃとソケット側コネクタ６の段差部７Ｃとの間隔Ｌ１よりも僅かに大きい。各ロッキング部材１１Ａのシャーシ１１の表面に対して平行な部分の内側の高さＨ２は、インシュレータ３の小直方体部３Ｂの高さＨ１及びインシュレータ７の小直方体部７Ｂの高さＨ１よりも僅かに大きい。
【００１９】
コネクタ１をシャーシ１１に取付ける操作は、次のように行われる。作業者は、手指によってコネクタ１をシャーシ１１の表面に平行にスライドさせる。すると、コネクタ１は、図２（ａ）に示されるように、コネクタ１におけるピン側コネクタ２の突起３Ｂ１とソケット側コネクタ６の突起７Ｂ１は、各ロッキング部材１１Ａのガイド部１１Ａ１を押し上げて弾性変形させる。更に、コネクタ１をスライドさせると、突起３Ｂ１と突起７Ｂ１は、図２（ｂ）に示されるように、各ガイド部１１Ａ１を乗り越えて各突起受け凹部１１Ａ２に係合する。このとき、操作者は、クリック感を触覚することができる。コネクタ１は、段差部３Ｃ，７Ｃが一対のロッキング部材１１Ａに挟持されることによって、スライド方向と直交する方向の位置決めを行われる。
【００２０】
操作者は、前述したようにクリック感の触覚によってコネクタ１がシャーシ１１の所定の位置に取付けられたことを確認することができると同時に、コネクタ１が各ロッキング部材１１Ａにロックされている図２（ｂ）の状態を視覚によって認識し、コネクタ１がシャーシ１１の所定の位置に取付けられたことを二重に確認することができる。
【００２１】
次に、本発明の第２実施の形態例について図３と図４を参照して説明する。
【００２２】
コネクタ１は、ピン側コネクタ２とソケット側コネクタ６とから構成される。図３（ａ）は、ピン側コネクタ２とソケット側コネクタ６とが嵌合した状態の斜視図、図３（ｂ）は、コネクタ１が取付けられるシャーシ１１の斜視図を、それぞれ示す。
【００２３】
ピン側コネクタ２のインシュレータ（ハウジング）３は、二段の略直方体形状に構成される。インシュレータ３の内部には、複数本のコンタクト（図示せず）が保持され、インシュレータ３の大直方体部３Ａの前面側には、ソケット側コネクタ６が嵌合する嵌合口３Ａ１が形成され、インシュレータ３の小直方体部３Ｂの後面側では、複数本のケーブル４がそれぞれコンタクトと接続されている。小直方体部３Ｂの上部の両側には、それぞれ突起３Ｄが対称に形成されている。各突起３Ｄは、垂直平面３Ｄ１と傾斜平面３Ｄ２とを有する。
【００２４】
ソケット側コネクタ６のインシュレータ（ハウジング）７は、略直方体形状に構成される。インシュレータ７の内部には、複数本のコンタクト（図示せず）が保持され、インシュレータ７の前面側は、インシュレータ３の嵌合口３Ａ１内に嵌合し、インシュレータ７の後面側では、複数本のケーブル８がそれぞれコンタクトと接続されている。インシュレータ７の上部の両側には、それぞれ突起７Ｄが対称に形成されている。各突起７Ｄは、垂直平面７Ｄ１と傾斜平面７Ｄ２とを有する。
【００２５】
シャーシ１１は、１枚の金属板からプレス加工によって製作される。シャーシ１１には、一対のロッキング部材１１Ｂが、切り起し加工によって斜めに対向して２組形成される。各ロッキング部材１１Ｂは、垂直部１１Ｂ１と、傾斜部１１Ｂ２と、略Ｊ字形状に湾曲したガイド兼ロック部１１Ｂ３とが連続した構成される。
【００２６】
コネクタ１とシャーシ１１との寸法関係の設定を説明する。二対のロッキング部材１１Ｂの内側間隔Ｌ３は、インシュレータ３の大直方体部３Ａの長さＬ１よりも僅かに大きい。二対のロッキング部材１１Ｂの外側間隔Ｌ４は、コネクタの全長Ｌ２と略等しい。１対のロッキング部材の１１Ｂにおけるコネクタ１の嵌合方向に直交する方向の間隔Ｗ２は、小直方体部３Ｂの幅Ｗ１及びインシュレータ７の幅Ｗ１と略等しい。各ロッキング部材１１Ｂのガイド兼ロック部１１Ｂ３の先端とシャーシ１１の表面との間隔Ｈ２は、小直方体部３Ｂの高さＨ１及びインシュレータ７の高さＨ１よりも僅かに大きい。
【００２７】
コネクタ１をシャーシ１１に取付ける操作は、次のように行われる。作業者は、手指によってコネクタ１をシャーシ１１の表面に垂直に接近させる。すると、図４（ａ）に示されるように、インシュレータ３の各傾斜平面３Ｄ２とインシュレータ７の各傾斜平面７Ｄ２とは、各ロッキング部材１１Ｂのガイド兼ロック部１１Ｂ３を外側に押圧するから、各ロッキング部材１１Ｂは、弾性変形する。したがって、インシュレータ３の各傾斜平面３Ｄ２とインシュレータ７の各傾斜平面７Ｄ２とは、各ロッキング部材１１Ｂのガイド兼ロック部１１Ｂ３を乗り越え、図４（ｂ）に示されるように、コネクタ１は、シャーシ１１の表面に当接して停止する。このとき、操作者は、クリック感を触覚することができる。この状態では、インシュレータ３の小直方体部３Ｂの上面とインシュレータ７の上面とは、各ロッキング部材１１Ｂのガイド兼ロック部１１Ｂ３の先端に係合しているため、コネクタ１は、シャーシ１１から隔離しない。コネクタ１は、大直方体部３Ａが２つのロッキング部材１１Ｂに挟持されることによって、シャーシ１１への接近方向と直交する方向の位置決めを行われる。
【００２８】
操作者は、前述したようにクリック感の触覚によってコネクタ１がシャーシ１１の所定の位置に取付けられたことを確認することができると同時に、コネクタ１が各ロッキング部材１１Ｂにロックされている図４（ｂ）の状態を視覚によって認識し、コネクタ１がシャーシ１１の所の位置に取付けられたことを二重に確認することができる。
【００２９】
【発明の効果】
以上の説明から明らかなように、本発明によれば、次の効果が奏される。
【００３０】
１．コネクタが筺体の所定の位置まで接近して取付けが完了したか否かを、クリック感という触覚と視覚とによって二重に容易に確認することができる。
【００３１】
２．コネクタの筺体に対する位置決めも同時に行うことができる。
【００３２】
３．従来のコネクタと筺体に簡素な改造を施すのみで所期の目的を達成することができる。
【００３３】
４．従来のコネクタのスライド式取付構造と対比して、部品点数は著しくは増加せず、また、コストは高価にならない。
【図面の簡単な説明】
【図１】本発明のコネクタの抱え込み式取付構造の第１実施の形態例の斜視図であり、（ａ）はコネクタ、（ｂ）はシャーシを、それぞれ示す。
【図２】同実施の形態例の取付過程の前面図であり、（ａ）は取付途中の状態、（ｂ）は取付完了の状態を、それぞれ示す。
【図３】本発明のコネクタの抱え込み式取付構造の第２実施の形態例の斜視図であり、（ａ）はコネクタ、（ｂ）はシャーシを、それぞれ示す。
【図４】同実施の形態例の取付過程の断面図であり、（ａ）は取付途中の状態、（ｂ）は取付完了の状態を、それぞれ示す。
【図５】従来のコネクタのスライド式取付構造の諸図であり、（ａ）はピン側コネクタのインシュレータの斜視図、（ｂ）はシャーシの斜視図、（ｃ）は同インシュレータが同シャーシに対してスライドする途中の状態の断面図、（ｄ）は同インシュレータの同シャーシへの取付完了状態の断面図を、それぞれ示す。
【符号の説明】
１　　コネクタ
２　　ピン側コネクタ
３　　インシュレータ（ハウジング）
３Ａ　　大直方体部
３Ａ１　　嵌合口
３Ｂ　　小直方体部
３Ｂ１　　突起
３Ｃ　　段差部
３Ｄ　　突起
３Ｄ１　　垂直平面
３Ｄ２　　傾斜平面
４　　ケーブル
６　　ソケット側コネクタ
７　　インシュレータ（ハウジング）
７Ａ　　大直方体部
７Ｂ　　小直方体部
７Ｂ１　　突起
７Ｃ　　段差部
７Ｄ　　突起
７Ｄ１　　垂直平面
７Ｄ２　　傾斜平面
８　　ケーブル
１１　　シャーシ
１１Ａ　　ロッキング部材
１１Ａ１　　ガイド部
１１Ａ２　　突起受け凹部
１１Ｂ　　ロッキング部材
１１Ｂ１　　垂直部
１１Ｂ２　　傾斜部
１１Ｂ３　　ガイド兼ロック部
【図１】
2004079361.tif 000003
【図２】
2004079361.tif 000004
【図３】
2004079361.tif 000005
【図４】
2004079361.tif 000006
【図５】
2004079361.tif 000007